(57)【要約】【課題】カソードの両端部における金属の異常析出を抑制可能な、アノード用のフレーム、及び、該フレームを備える電解装置を提供する。【解決手段】フレームは、下面部と、第１側面部と、第２側面部とを備えている。下面部は、アノードの下面と対向するように構成されている。第１側面部は、下面部におけるアノードの幅方向の一方の端部から上方に延びており、アノードの一方の側面と対向するように構成されている。第２側面部は、下面部における上記幅方向の他方の端部から上方に延びており、アノードの他方の側面と対向するように構成されている。第１側面部は、上記幅方向の内側に延びる第１板部を含む。第２側面部は、上記幅方向の内側に延びる第２板部を含む。アノードの正面視において、第１及び第２板部の各々は、アノードの一部と重なるように構成されている。【選択図】図６
2020176279.tif 000002
【特許請求の範囲】
【請求項１】
金属の電解精製に用いられるアノードの周囲を覆うように構成されたフレームであって、
前記アノードは、電解槽内においてカソードと対向する位置に配置されるように構成されており、
前記アノードの下面と対向するように構成された下面部と、
前記下面部における前記アノードの幅方向の一方の端部から上方に延びており、前記アノードの一方の側面と対向するように構成された第１側面部と、
前記下面部における前記幅方向の他方の端部から上方に延びており、前記アノードの他方の側面と対向するように構成された第２側面部とを備え、
前記第１側面部は、前記幅方向の内側に延びる第１板部を含み、
前記第２側面部は、前記幅方向の内側に延びる第２板部を含み、
前記カソードの正面視において、前記第１及び第２板部の各々は、前記カソードの一部と重なるように構成されている、フレーム。
【請求項２】
前記第１及び第２板部の各々は、前記電解槽内において前記アノードと前記カソードとの間に位置するように構成されている、請求項１に記載のフレーム。
【請求項３】
前記第１側面部は、前記幅方向の内側に延びる第３板部をさらに含み、
前記第２側面部は、前記幅方向の内側に延びる第４板部をさらに含み、
前記第３及び第４板部の各々は、前記電解槽内において前記アノードに対して前記カソードと反対側に位置するように構成されており、
前記カソードの正面視において、前記第３及び第４板部の各々は、前記カソードの一部と重なるように構成されている、請求項２に記載のフレーム。
【請求項４】
前記アノードは、アノードバッグ内に収容されるように構成されており、
前記フレームは、前記アノードバッグの周囲を覆うように構成されており、
一端が前記第１板部に連結されており、他端が前記第２板部に連結されているシャフトをさらに備える、請求項１から請求項３のいずれか１項に記載のフレーム。
【請求項５】
前記シャフトは、前記フレームの高さ方向の中央よりも下方に位置している、請求項４に記載のフレーム。
【請求項６】
電解液を収容する電解槽と、
前記電解槽内に配置されたアノードと、
前記電解槽内において前記アノードと対向する位置に配置されたカソードと、
前記アノードと前記カソードとの間に電圧を印加するように構成された給電部とを備え、
前記アノードと前記カソードとの間の領域には板状部材が配置されており、
前記カソードの正面視において、前記板状部材は、前記カソードの幅方向の端部と重なる、電解装置。
【請求項７】
前記アノードの幅方向の長さは、前記カソードの幅方向の長さよりも短い、請求項６に記載の電解装置。
【請求項８】
前記電解装置は、前記アノードの周囲を覆うとともに、前記電解槽の縁に引っ掛けられた第１フレームをさらに備え、
前記第１フレームは、
前記アノードの下面と対向するように構成された下面部と、
前記下面部における前記アノードの幅方向の一方の端部から上方に延びており、前記アノードの一方の側面と対向するように構成された第１側面部と、
前記下面部における前記幅方向の他方の端部から上方に延びており、前記アノードの他方の側面と対向するように構成された第２側面部とを含み、
前記第１側面部は、前記幅方向の内側に延びる第１板部を含み、
前記第２側面部は、前記幅方向の内側に延びる第２板部を含み、
前記第１及び第２板部の各々は、前記板状部材であり、
前記電解装置は、
前記アノードを収容するアノードバッグと、
前記アノードバッグに収容され、前記電解槽の縁に引っ掛けられるとともに、前記アノードバッグに固定された第２フレームとをさらに備える、請求項６又は請求項７に記載の電解装置。
【発明の詳細な説明】
【技術分野】
【０００１】
本発明は、金属の電解精製に用いられるアノードの周囲を覆うように構成されたフレーム、及び、該フレームを備える電解装置に関する。
【背景技術】
【０００２】
特開２０１２−８７３９４号公報（特許文献１）は、アノードと、カソードとを備える電解装置を開示する。
【先行技術文献】
【特許文献】
【０００３】
【特許文献１】特開２０１２−８７３９４号公報
【発明の概要】
【発明が解決しようとする課題】
【０００４】
上記特許文献１に開示されているような電解装置において、カソードの両端部に流れ込む電流の密度は、カソードの両端部以外に流れ込む電流の密度よりも高い。その結果、カソードの両端部においては、金属の異常析出が生じる可能性がある。
【０００５】
本発明は、このような問題を解決するためになされたものであって、その目的は、カソードの両端部における金属の異常析出を抑制可能な、アノード用のフレーム、及び、該フレームを備える電解装置を提供することである。
【課題を解決するための手段】
【０００６】
本発明のある局面に従うフレームは、金属の電解精製に用いられるアノードの周囲を覆うように構成されている。アノードは、電解槽内においてカソードと対向する位置に配置されるように構成されている。フレームは、下面部と、第１側面部と、第２側面部とを備えている。下面部は、アノードの下面と対向するように構成されている。第１側面部は、下面部におけるアノードの幅方向の一方の端部から上方に延びており、アノードの一方の側面と対向するように構成されている。第２側面部は、下面部における上記幅方向の他方の端部から上方に延びており、アノードの他方の側面と対向するように構成されている。第１側面部は、上記幅方向の内側に延びる第１板部を含む。第２側面部は、上記幅方向の内側に延びる第２板部を含む。カソードの正面視において、第１及び第２板部の各々は、カソードの一部と重なるように構成されている。
【０００７】
このフレームにおいては、カソードの正面視において、第１及び第２板部の各々がカソードの一部と重なるように構成されている。したがって、このフレームによれば、電解装置においてアノードからカソードの両端部へ回り込む電流の少なくとも一部が第１及び第２板部によって遮断されるため、カソードの両端部における電流密度を抑制することができる。その結果、このフレームによれば、カソードの両端部において金属が異常析出する事態を抑制することができる。
【０００８】
上記フレームにおいて、第１及び第２板部の各々は、電解槽内においてアノードとカソードとの間に位置するように構成されていてもよい。
【０００９】
このフレームにおいては、第１及び第２板部の各々が、電解槽内においてアノードとカソードとの間に位置するように構成されている。したがって、このフレームによれば、アノードの前方（カソード側）からカソードの両端部へ向かう電流の少なくとも一部が第１及び第２板部によって遮断されるため、カソードの両端部における電流密度を抑制することができる。その結果、このフレームによれば、カソードの両端部において金属が異常析出する事態を抑制することができる。
【００１０】
上記フレームにおいて、第１側面部は、上記幅方向の内側に延びる第３板部をさらに含み、第２側面部は、上記幅方向の内側に延びる第４板部をさらに含み、第３及び第４板部の各々は、電解槽内においてアノードに対してカソードと反対側に位置するように構成されており、カソードの正面視において、第３及び第４板部の各々は、カソードの一部と重なるように構成されていてもよい。
【００１１】
このフレームにおいては、第３及び第４板部の各々が、電解槽内においてアノードに対してカソードと反対側に位置するように構成されている。したがって、このフレームによれば、アノードの後方（カソードと反対側）からカソードの両端部へ回り込む電流の少なくとも一部が第３及び第４板部によって遮断されるため、カソードの両端部における電流密度を抑制することができる。その結果、このフレームによれば、カソードの両端部において金属が異常析出する事態を抑制することができる。
【００１２】
アノードは、アノードバッグ内に収容されるように構成されており、フレームは、アノードバッグの周囲を覆うように構成されており、フレームは、一端が第１板部に連結されており、他端が第２板部に連結されているシャフトをさらに備えてもよい。
【００１３】
このフレームにおいては、第１及び第２板部間にシャフトが設けられている。したがって、このフレームによれば、アノードバッグ内においてスライム（陽極泥）が堆積したとしてもシャフトがアノードバッグを側方から押さえるため、アノードバッグの膨らみを抑制することができる。
【００１４】
上記フレームにおいて、シャフトは、フレームの高さ方向の中央よりも下方に位置していてもよい。
【００１５】
このフレームにおいては、シャフトが、フレームの高さ方向の中央よりも下方に位置する。したがって、このフレームによれば、アノードバッグ内においてスライムが下方に堆積したとしてもシャフトがアノードバッグを側方から押さえるため、アノードバッグの膨らみを抑制することができる。
【００１６】
本発明の他の局面に従う電解装置は、電解槽と、アノードと、カソードと、給電部とを備える。電解槽は、電解液を収容する。アノードは、電解槽内に配置される。カソードは、電解槽内においてアノードと対向する位置に配置される。給電部は、アノードとカソードとの間に電圧を印加するように構成されている。アノードとカソードとの間の領域には板状部材が配置されている。カソードの正面視において、板状部材は、カソードの幅方向の端部と重なる。
【００１７】
この電解装置においては、カソードの正面視において、板状部材がカソードの幅方向の端部と重なる。したがって、この電解装置によれば、アノードからカソードの両端部へ回り込む電流の少なくとも一部が板状部材によって遮断されるため、カソードの両端部における電流密度を抑制することができる。その結果、この電解装置によれば、カソードの両端部において金属が異常析出する事態を抑制することができる。
【００１８】
この電解装置において、アノードの幅方向の長さは、カソードの幅方向の長さよりも短くてもよい。
【００１９】
この電解装置においては、アノードがカソードよりも短いため、アノードの正面視において、板状部材がアノードの幅方向の端部と重ならない。したがって、この電解装置によれば、アノードの幅方向の端部においても電解精製を十分に行なうことができる。
【００２０】
この電解装置は、アノードの周囲を覆うとともに、電解槽の縁に引っ掛けられた第１フレームをさらに備え、第１フレームは、アノードの下面と対向するように構成された下面部と、下面部におけるアノードの幅方向の一方の端部から上方に延びており、アノードの一方の側面と対向するように構成された第１側面部と、下面部における幅方向の他方の端部から上方に延びており、アノードの他方の側面と対向するように構成された第２側面部とを含み、第１側面部は、幅方向の内側に延びる第１板部を含み、第２側面部は、幅方向の内側に延びる第２板部を含み、第１及び第２板部の各々は、板状部材であり、電解装置は、アノードを収容するアノードバッグと、アノードバッグに収容され、電解槽の縁に引っ掛けられるとともに、アノードバッグに固定された第２フレームとをさらに備えてもよい。
【００２１】
この電解装置においては、第１フレームと第２フレームとによって必要な機能が分担されている。したがって、各フレームが軽量化されている。その結果、たとえば、作業者は、アノードバッグが固定された第２フレームを容易に持ち上げることができる。
【発明の効果】
【００２２】
本発明によれば、カソードの両端部における金属の異常析出を抑制可能な、アノード用のフレーム、及び、該フレームを備える電解装置を提供することができる。
【図面の簡単な説明】
【００２３】
【図１】電解装置の概略を示す図である。
【図２】電解装置を上方から示す模式図である。
【図３】電解装置におけるカソードの状態を示す模式図である。
【図４】電解装置におけるアノードユニットの状態を示す模式図である。
【図５】アノードの正面図である。
【図６】インナーフレームの斜め方向から示す模式図である。
【図７】アウターフレームの正面図である。
【図８】図７のＶＩＩＩ−ＶＩＩＩ断面図である。
【図９】比較対象の電解装置における電流の流れの一例を説明するための模式図である。
【図１０】本実施の形態に従う電解装置における電流の流れの一例を説明するための模式図である。
【図１１】図２のＸＩ−ＸＩ断面の下方の一部を示す図である。
【発明を実施するための形態】
【００２４】
以下、本発明の実施の形態について、図面を参照しながら詳細に説明する。なお、図中同一又は相当部分には同一符号を付してその説明は繰り返さない。
【００２５】
［１．概要］
図１は、本実施の形態に従う電解装置１０の概略を示す図である。電解装置１０は、銀（Ａｇ）の電解精製を行なうための装置である。なお、矢印ＵＤＬＲＦＢの各々が示す方向は各図面で共通である。
【００２６】
図１に示されるように、電解装置１０は、電解槽３００と、電解液５００と、アノード（陽極）１００と、カソード（陰極）２００と、給電部４００とを含んでいる。電解槽３００としては、任意の構造の電解槽を使用することができる。電解槽３００には、電解液５００が充填されている。電解液５００としては、一般的に銀の電解精製に用いられる公知の電解液を用いることができる。電解液５００としては、たとえば、硝酸、硫酸等の酸系電解液が用いられる。
【００２７】
アノード１００は、電解精製時に一部が電解液５００に浸けられる。アノード１００は、銀を含む。アノード１００は、たとえば銀以外の金属をさらに含んでもよい。なお、アノード１００における、銀、銀以外の金属及び非金属の割合は、特に限定されない。
【００２８】
カソード２００は、電解精製時に一部が電解液５００に浸けられる。カソード２００は、たとえば、ステンレス又はチタンによって構成される。すなわち、カソード２００は、電解液５００によって腐食しにくい電極材料によって構成されていればよい。
【００２９】
給電部４００は、直流電源であり、アノード１００及びカソード２００間に直流電圧を印加するように構成されている。給電部４００によってアノード１００及びカソード２００間に電圧が印加されると、アノード１００及びカソード２００間に電流が生じ、電解精製が進行する。
【００３０】
［２．電解装置の構成］
図２は、電解装置１０を上方（矢印Ｕ方向）から示す模式図である。図３は、電解装置１０におけるカソード２００の状態を示す模式図である。図４は、電解装置１０におけるアノードユニット５０の状態を示す模式図である。図２及び図３に示されるように、カソード２００は、電解槽３００の縁に直接引っ掛けられることによって電解槽３００に吊り下げられている。なお、カソード２００の近くには不図示のスクレーパが設けられており、カソード２００上に析出した金属（銀）は該スクレーパによって掻き取られる。
【００３１】
図２及び図４に示されるように、アノードユニット５０は、アノード１００と、アノードバッグ１５０と、インナーフレーム１５５と、アウターフレーム１６０とを含んでいる。アノード１００及びインナーフレーム１５５は、アノードバッグ１５０内に収容されている。また、アノードバッグ１５０は、インナーフレーム１５５に不図示の紐を介して括り付けられている。すなわち、アノードバッグ１５０は、インナーフレーム１５５に固定されている。また、アノードバッグ１５０の周囲は、アウターフレーム１６０によって覆われている。
【００３２】
アウターフレーム１６０及びインナーフレーム１５５は、電解槽３００の縁に直接引っ掛けられることによって電解槽３００に吊り下げられている。電解槽３００の上方、かつ、アウターフレーム１６０の上方には、電解槽３００の矢印ＢＦ方向の長さよりも長いブスバー６００が配置されている。ブスバー６００にはフック７００（７００Ａ，７００Ｂ）が引っ掛けられており、フック７００にはアノード１００が引っ掛けられている。すなわち、アノード１００は、フック７００を介してブスバー６００に吊り下げられている。ブスバー６００及びフック７００の各々は、たとえば銅等の導電材料で構成されている。給電部４００により直流電圧が印加されることによって生じた電流は、ブスバー６００及びフック７００を介してアノード１００に流れ込む。
【００３３】
［３．アノードユニットの構成］
上述のように、アノードユニット５０は、アノード１００と、アノードバッグ１５０と、インナーフレーム１５５と、アウターフレーム１６０とを含んでいる。以下、アノード１００、アノードバッグ１５０、インナーフレーム１５５及びアウターフレーム１６０について詳細に説明する。
【００３４】
（３−１．アノードの構成）
図５は、アノード１００の正面図である。図５に示されるように、アノード１００は、板状であり、アノード本体部１１０と、吊下げ部１１５とを含んでいる。
【００３５】
アノード本体部１１０は、電解精製時に電解槽３００内の電解液５００（以下、単に「電解液５００」とも称する。）に少なくとも一部が浸かるように構成されている。アノード本体部１１０は、六角形状である。より詳細には、アノード本体部１１０の下方は矩形状であり、アノード本体部１１０の上方は等脚台形状である。アノード本体部１１０の上端からは、吊下げ部１１５が上方（矢印Ｕ方向）に向かって延びている。アノード本体部１１０の上端のうち、吊下げ部１１５が形成されていない領域には、アノード１００の幅方向（矢印ＢＦ方向）外側に向かって下方（矢印Ｄ方向）に向かうテーパが形成されている。
【００３６】
吊下げ部１１５は、電解精製時に電解液５００に少なくとも一部が浸からないように構成されている。吊下げ部１１５は、電解槽３００の上方に位置するブスバー６００にフック７００（図２，４）を介して吊り下げられるように構成されている。吊下げ部１１５は、上方に向かって二股に分かれた碇形状であり、基部１２０と、引掛け部１３０，１４０とを含んでいる。
【００３７】
基部１２０は、電解精製時に電解液５００に少なくとも一部が浸からないように構成されており、アノード本体部１１０の上端の中央部から上方に延びている。アノード１００の幅方向における基部１２０の長さは、アノード本体部１１０よりも短い。
【００３８】
引掛け部１３０，１４０は、基部１２０からそれぞれ左右方向（矢印ＢＦ方向）に延びている。すなわち、引掛け部１３０，１４０は、基部１２０から互いに異なる方向に延びている。引掛け部１３０，１４０は、それぞれフック７００Ａ，７００Ｂ（図２，４）の一端に引っ掛けられる。フック７００Ａ，７００Ｂの他端は、ブスバー６００に引っ掛けられる。
【００３９】
（３−２．インナーフレームの構成）
図６は、インナーフレーム１５５を斜め方向から示す模式図である。インナーフレーム１５５は、たとえば、Ｔｉ、ＳＵＳ等の導電性部材又はＦＲＰ、ＰＶＣ等の非導電性部材で構成されている。
【００４０】
図６に示されるように、インナーフレーム１５５は、２つの引掛け部１５９と、二本の上方骨部１５６と、４本の側方骨部１５７と、２本の下方骨部１５８とを含んでいる。インナーフレーム１５５においては、１本の上方骨部１５６と、２本の側方骨部１５７と、１本の下方骨部１５８とで構成される平面的な骨組が前後方向に二重に形成されることによって、立体的な骨組が実現されている。すなわち、インナーフレーム１５５の各面には開口部が形成されている。また、各引掛け部１５９が電解槽３００の縁に引っ掛けられることで、インナーフレーム１５５は、電解槽３００に吊り下げられる。このような立体的なインナーフレーム１５５をアノードバッグ１５０内に収容することによって、電解精製中にアノードバッグ１５０の開放状態を維持することができる。
【００４１】
本実施の形態に従う電解装置１０においては、アノード１００の周囲を覆うフレームが二重構造になっている。すなわち、インナーフレーム１５５及びアウターフレーム１６０がアノード１００を覆う。そのため、後述するアウターフレーム１６０の機能をインナーフレーム１５５に持たせる必要がないため、インナーフレーム１５５は最小限の骨組で実現可能となっている。したがって、インナーフレーム１５５が軽量であるため、たとえば、アノードバッグ１５０を保持した状態のインナーフレーム１５５を容易に持ち上げることができ、たとえば、アノードバッグ１５０内の洗浄を容易に行なうことができる。
【００４２】
（３−３．アノードバッグの構成）
再び図４を参照して、上述のように、本実施の形態に従う電解装置１０は、アノードバッグ１５０を含んでいる。電解装置１０において、Ａｕ、Ｐｄ、Ｐｔ等のＡｇ（銀）よりもイオン化傾向が小さい金属は、電解精製を通じてもほとんどがイオン化せず、電解精製を通じて単体の微粒子の状態でアノード１００から遊離し、不溶性の不純物となる。該不溶性の不純物は、いわゆる陽極泥（スライム）である。カソード２００に電着するＡｇ（銀）にＡｕ等が混入すると、精製されるＡｇの純度が低下する。電解装置１０において、アノードバッグ１５０は、アノード１００から発生する陽極泥の電解液５００中での拡散を防止する観点から、Ａｇ（銀）よりもイオン化傾向が小さい金属を含む陽極泥を透過せず、Ａｇイオンを透過するように構成されている。
【００４３】
（３−４．アウターフレームの構成）
図７は、アウターフレーム１６０の正面図である。図８は、図７のＶＩＩＩ−ＶＩＩＩ断面図である。アウターフレーム１６０は、インナーフレーム１５５と同様、たとえば、Ｔｉ、ＳＵＳ等の導電性部材又はＦＲＰ、ＰＶＣ等の非導電性部材で構成されている。図７及び図８に示されるように、アウターフレーム１６０は、下面部１６１と、側面部１７０，１７１と、引掛け部１６４Ａ，１６４Ｂと、複数のシャフト１６５とを含んでいる。
【００４４】
下面部１６１は、アノードバッグ１５０（図４）を下方から支えるとともに、アノードバッグ１５０を介してアノード１００の下面と対向するように構成されている。側面部１７０は、下面部１６１における矢印Ｂ方向の端部（アノード１００の幅方向の一方の端部）から上方に延びており、アノード１００の矢印Ｂ方向の側面と対向するように構成されている。側面部１７１は、下面部１６１における矢印Ｆ方向の端部（アノード１００の幅方向の他方の端部）から上方に延びており、アノード１００の矢印Ｆ方向の側面と対向するように構成されている。
【００４５】
より詳細に説明すると、側面部１７０は、側面部本体１６２と、邪魔板部１６６，１６９とを含んでいる。側面部本体１６２は、アノード１００の矢印Ｂ方向の側面と対向するように構成されている。邪魔板部１６６，１６９の各々は、側面部本体１６２からアノード１００の幅方向の内側（矢印Ｆ方向）へ延びている。電解装置１０内において、邪魔板部１６６はアノード１００の矢印Ｌ方向の面の一部と対向せず、邪魔板部１６９はアノード１００の矢印Ｒ方向の面の一部と対向しない。一方、電解装置１０内において、邪魔板部１６６，１６９は、カソード２００の矢印Ｌ方向の面の一部と対向する。すなわち、カソード２００の正面視において、邪魔板部１６６，１６９の各々は、カソード２００の一部と重なるように構成されている。邪魔板部１６６は、電解装置１０内において、アノード１００とカソード２００との間に位置している。一方、邪魔板部１６９は、電解装置１０内において、アノード１００に対してカソード２００と反対側に位置している。
【００４６】
また、側面部１７１は、側面部本体１６３と、邪魔板部１６７，１６８とを含んでいる。側面部本体１６３は、アノード１００の矢印Ｆ方向の側面と対向するように構成されている。邪魔板部１６７，１６８の各々は、側面部本体１６３からアノード１００の幅方向の内側（矢印Ｂ方向）へ延びている。電解装置１０内において、邪魔板部１６７の一部はアノード１００の矢印Ｌ方向の面の一部と対向せず、邪魔板部１６８の一部はアノード１００の矢印Ｒ方向の面の一部と対向しない。一方、電解装置１０内において、邪魔板部１６７，１６８は、カソード２００の矢印Ｌ方向の面の一部と対向する。すなわち、カソード２００の正面視において、邪魔板部１６７，１６８の各々は、カソード２００の一部と重なるように構成されている。邪魔板部１６７は、電解装置１０内において、アノード１００とカソード２００との間に位置している。一方、邪魔板部１６８は、電解装置１０内において、アノード１００に対してカソード２００と反対側に位置している。
【００４７】
引掛け部１６４Ａは、側面部本体１６２の矢印Ｕ方向（上方）の端部から矢印Ｂ方向に延びており、電解槽３００（図４）の縁に直接引っ掛けられるように構成されている。引掛け部１６４Ｂは、側面部本体１６３の矢印Ｕ方向の端部から矢印Ｆ方向に延びており、電解槽３００の縁に直接引っ掛けられるように構成されている。
【００４８】
複数のシャフト１６５の各々は、アノード１００の幅方向（矢印ＢＦ方向）に延びる棒状の部材である。複数のシャフト１６５の各々の一端は邪魔板部１６６又は邪魔板部１６９に連結されており、複数のシャフト１６５各々の他端は邪魔板部１６７又は邪魔板部１６８に連結されている。複数のシャフト１６５の各々は、アウターフレーム１６０において、アウターフレーム１６０の高さ方向の中央よりも下方に位置している。
【００４９】
［４．フレームに邪魔板部が設けられている理由］
図９は、比較対象の電解装置１０Ｘにおける電流の流れの一例を説明するための模式図である。図９に示されるように、電解装置１０Ｘにおいては、アノード１００とカソード２００とが対向している。この比較対象の電解装置１０Ｘにおいては、アノード１００の周囲に邪魔板（たとえば、邪魔板部１６６−１６９（図８））が配置されていない。このような場合には、カソード２００の端部Ｐ１Ａ，Ｐ１Ｂにおける電流密度が高いため、端部Ｐ１Ａ，Ｐ１Ｂにおいて金属（銀）の異常析出が生じ得る。
【００５０】
図１０は、本実施の形態に従う電解装置１０における電流の流れの一例を説明するための模式図である。図１０に示されるように、本実施の形態に従う電解装置１０において、アノード１００の一方の端部は側面部本体１６２及び邪魔板部１６６，１６９によって覆われており、アノード１００の他方の端部は側面部本体１６３及び邪魔板部１６７，１６８によって覆われている。また、アノード１００の幅方向の長さは、カソード２００の幅方向の長さよりも短い。さらに、カソード２００の正面視において、各邪魔板部は、カソード２００の一部と重なっている。したがって、アノード１００からカソード２００へ流れ込む電流のうちカソード２００の端部に流れ込む電流の少なくとも一部は、側面部本体１６２，１６３及び邪魔板部１６６，１６７，１６８，１６９によって遮断される。すなわち、電解装置１０に含まれているアウターフレーム１６０（図７，８）によれば、カソード２００の両端部における電流密度を抑制することができる。その結果、アウターフレーム１６０によれば、カソード２００の両端部において金属（銀）が異常析出する事態を抑制することができる。
【００５１】
［５．フレームにシャフトが設けられている理由］
図１１は、図２のＸＩ−ＸＩ断面の下方の一部を示す図である。図１１に示されるように、アノードバッグ１５０は、複数のシャフト１６５によって矢印ＬＲ方向の外側に広がらないように規制されている。すなわち、アウターフレーム１６０によれば、アノード１００から発生したスライム８００がアノードバッグ１５０の下方に堆積したとしても、複数のシャフト１６５がアノードバッグ１５０を矢印ＬＲ方向外側から内側へ押さえるため、アノードバッグ１５０の膨らみを抑制することができる。
【００５２】
［６．特徴］
以上のように、本実施の形態に従うアウターフレーム１６０においては、カソード２００の正面視において、邪魔板部１６６−１６９の各々がカソード２００の一部と重なるように構成されている。したがって、このアウターフレーム１６０によれば、電解装置１０においてアノード１００からカソード２００の両端部へ回り込む電流の少なくとも一部が邪魔板部１６６−１６９によって遮断されるため、カソード２００の両端部における電流密度を抑制することができる。その結果、このアウターフレーム１６０によれば、アウターフレーム１６０の両端部において金属（銀）が異常析出する事態を抑制することができる。
【００５３】
［７．変形例］
以上、実施の形態について説明したが、本発明は、上記実施の形態に限定されるものではなく、その趣旨を逸脱しない限りにおいて、種々の変更が可能である。以下、変形例について説明する。但し、以下の変形例は適宜組合せ可能である。
【００５４】
（７−１）
上記実施の形態において、側面部１７０は邪魔板部１６６，１６９を含み、側面部１７１は邪魔板部１６７，１６８を含むこととした。しかしながら、側面部１７０，１７１の構成は、必ずしもこれに限定されない。たとえば、側面部１７０が邪魔板部１６６を含み邪魔板部１６９を含まず、側面部１７１が邪魔板部１６７を含み邪魔板部１６８を含まなくてもよい。また、たとえば、側面部１７０が邪魔板部１６９を含み邪魔板部１６６を含まず、側面部１７１が邪魔板部１６８を含み邪魔板部１６７を含まなくてもよい。
【００５５】
（７−２）
また、上記実施の形態において、アノード１００は、アノードバッグ１５０に収容されていることとした。しかしながら、アノード１００は、必ずしもアノードバッグ１５０に収容されている必要はない。
【００５６】
（７−３）
また、上記実施の形態において、アウターフレーム１６０は、複数のシャフト１６５を含むこととした。しかしながら、アウターフレーム１６０は、必ずしも複数のシャフト１６５を含む必要はない。また、アウターフレーム１６０に含まれるシャフト１６５の数は必ずしも複数である必要はなく、たとえば、アウターフレーム１６０がシャフト１６５を１本だけ含んでもよい。
【００５７】
（７−４）
また、上記実施の形態において、アノード本体部１１０の正面視における形状は、六角形状とされた。しかしながら、アノード本体部１１０の形状は、これに限定されない。たとえば、アノード本体部１１０の形状は、四角形状であっても、五角形状であっても、円形状であってもよい。要するに、アノード本体部１１０の形状は、どのような形状であってもよい。
【００５８】
（７−５）
また、上記実施の形態において、カソード２００及びアウターフレーム１６０の正面視における形状は、四角形状とされた。しかしながら、カソード２００及びアウターフレーム１６０の形状は、これに限定されない。すなわち、カソード２００の正面視において、アウターフレーム１６０の邪魔板部１６６，１６７，１６８，１６９とカソード２００の端部とが重なっていれば、カソード２００及びアウターフレーム１６０の正面視における形状はどのような形状であってもよい。
【００５９】
（７−６）
また、上記実施の形態において、アノード１００は、２本のフック（フック７００Ａ，７００Ｂ）を介してブスバー６００に吊り下げられた。しかしながら、アノード１００の吊下げに用いられるフック７００の本数はこれに限定されない。たとえば、アノード１００は、１本のフック７００によってブスバー６００に吊り下げられてもよいし、３本以上のフック７００によってブスバー６００に吊り下げられてもよい。
【００６０】
（７−７）
また、上記実施の形態において、電解装置１０は、銀の電解精製に用いられた。しかしながら、電解装置１０の用途は、必ずしもこれに限定されない。たとえば、電解装置１０は、銅、金、白金、鉛、錫、ニッケル等の電解精製に用いられてもよい。この場合には、アノード１００の材料として、適宜適切な材料が選択される。
【００６１】
（７−８）
また、上記実施の形態において、アノード１００は、フック７００を介してブスバー６００に引っ掛けられた。しかしながら、アノード１００は必ずしもフック７００を介して引っ掛けられる必要はなく、たとえば、アノード１００に幅方向に延びる引掛け部を設け、該引掛け部を電解槽３００の縁に直接引っ掛けてもよい。
【００６２】
（７−９）
また、上記実施の形態においては、アウターフレーム１６０に各邪魔板部が設けられた。しかしながら、邪魔板部が設けられる位置は、必ずしもアウターフレーム１６０でなくてもよい。たとえば、各邪魔板部は、電解槽３００内に直接形成されてもよい。この場合には、各邪魔板部は、たとえば、アノード１００とカソード２００との間に形成される。そして、カソード２００の正面視において、各邪魔板部は、カソード２００の一部と重なる。
【符号の説明】
【００６３】
１０，１０Ｘ  電解装置、５０  アノードユニット、１００  アノード、１１０  アノード本体部、１１５  吊下げ部、１２０  基部、１３０，１４０，１５９，１６４，１６４Ａ，１６４Ｂ  引掛け部、１５０  アノードバッグ、１５５  インナーフレーム、１５６  上方骨部、１５７  側方骨部、１５８  下方骨部、１６０  アウターフレーム、１６１  下面部、１６２，１６３  側面部本体、１６５  シャフト、１６６，１６７，１６８，１６９  邪魔板部、１７０，１７１  側面部、２００  カソード、３００  電解槽、４００  給電部、５００  電解液、６００  ブスバー、７００，７００Ａ，７００Ｂ  フック、８００  スライム、Ｐ１Ａ，Ｐ１Ｂ  端部。
【図１】
2020176279.tif 000003
【図２】
2020176279.tif 000004
【図３】
2020176279.tif 000005
【図４】
2020176279.tif 000006
【図５】
2020176279.tif 000007
【図６】
2020176279.tif 000008
【図７】
2020176279.tif 000009
【図８】
2020176279.tif 000010
【図９】
2020176279.tif 000011
【図１０】
2020176279.tif 000012
【図１１】
2020176279.tif 000013